(57)【要約】【課題】本考案は、有効な活水機能を発揮させつつ活水器自体のコンパクト化を図ることができる活水器を提供する。【解決手段】本考案の活水器は、配管取り付け用のネジ５を設けた水流入口３及び水流出口４を備えた活水器本体２と、マイナスイオンセラミックスボール、遠赤外線セラミックスボール、界面活性セラミックスボール、防錆セラミックスボール等の中から選定される複数種の組み合わせからなり、活水器本体内に収納されて流通する水の表面張力、界面活性力等の物性を変え活性化するセラミックボール群６とを有するものである。【選択図】図２
0003100422.tif 000002
【実用新案登録請求の範囲】
【請求項１】
　水流入口、水流出口を備えた活水器本体と、
　この活水器本体内に収納した流通する水の物性を変え活性化するセラミックボール群と、
　を有することを特徴とする活水器。
【請求項２】
　配管取り付け用のネジ部を設けた水流入口及び水流出口を備えた活水器本体と、
　マイナスイオンセラミックスボール、遠赤外線セラミックスボール、界面活性セラミックスボール、防錆セラミックスボール等の中から選定される複数種の組み合わせからなり、前記活水器本体内に収納されて流通する水の表面張力、界面活性力等の物性を変え活性化するセラミックボール群と、
　を有することを特徴とする活水器。
【請求項３】
　配管取り付け用のネジ部を設けた水流入口及び水流出口を備えた活水器本体と、
　マイナスイオンセラミックスボール、遠赤外線セラミックスボール、界面活性セラミックスボール、防錆セラミックスボール等の中から選定される複数種の組み合わせからなり、前記活水器本体内に収納されて流通する水の表面張力、界面活性力等の物性を変え活性化するセラミックボール群と、
　前記水流入口内及び水流出口内に配置した多数の孔を有するパンチング板と、　を有することを特徴とする活水器。
【考案の詳細な説明】
【技術分野】
【０００１】
　本考案は、有効な活水機能を発揮させつつ水使用機器への取り付けも容易なコンパクトにした活水器に関するものである。
【背景技術】
【０００２】
　従来の水処理技術は、経済高度成長と大量の水消費に対応するため、薬品を使用する科学的処理によって行われてきたが、高度成長に伴う環境破壊が国際的な問題となっている現在では、企業においても、使用水及び排水処理に至るあらゆる分野での水処理の見直しが進められている。
【０００３】
　このような水処理を行う水処理機器として、水中の残留塩素除去を行う浄水器、水使用機器へのスケール付着防止を行う軟水器、活水器等が知られている。
【０００４】
　特許文献１には、筒体内に遠赤外線を放射するセラミックボールと、必要な強さの磁場を形成するマグネットユニットとを充填した構成の活水器が開示されている。
　しかし、特許文献１の活水器の場合、筒体内のマグネットユニット、セラミックボールの収容領域が個別であり、このため筒体の長さが大きくなり、活水器のコンパクト化が難しいという問題がある。
　また、特許文献１の場合、セラミックボールを複数種用いる構成では、これらを仕切板を介して個別に収容するものであるため、やはり筒体の長さが大きくなり、活水器のコンパクト化が難しいという問題がある。
【特許文献１】特開２００２−０１１４７９号公報
【考案の開示】
【考案が解決しようとする課題】
【０００５】
　解決しようとする問題点は、従来の活水器のように、有効な活水機能を発揮させつつ活水器自体のコンパクト化を図ることが難しい点である。
【課題を解決するための手段】
【０００６】
　本考案は、水流入口、水流出口を備えた活水器本体と、活水器本体内に収納した流通する水の物性を変え活性化するセラミックボール群とを有することを最も主要な特徴とする。
【考案の効果】
【０００７】
　本考案によれば、コンパクトの構成で、水道水等の水の水質（ミネラル、イオン）自体を改質せず、水本来の物性、すなわち表面張力、界面活性力等の物性に変化を与え、活性化して有効な活水機能を発揮させることができる。
　また、本考案によれば、配管取り付け用のネジを設けた水流入口及び水流出口を備えた構成により、水使用機器への取り付けも容易な活水器を提供できる。
【考案を実施するための最良の形態】
【０００８】
　本考案の活水器は、配管取り付け用のネジ部を設けた水流入口及び水流出口を備えた活水器本体と、マイナスイオンセラミックスボール、遠赤外線セラミックスボール、界面活性セラミックスボール、防錆セラミックスボール等の中から選定される複数種の組み合わせからなり、活水器本体内に収納されて流通する水の表面張力、界面活性力等の物性を変え活性化するセラミックボール群とを有する構成により有効な活水機能を発揮させつつ活水器自体のコンパクト化を図るという目的を達成した。
【実施例】
【０００９】
　以下に本考案の実施例を詳細に説明する。
　本実施例の活水器１は、図１、図２に示すように、内周部に水道配管等の配管取り付け用のネジ部５を設けた円筒状の水流入口３及び水流出口４を備えるとともに、水流入口３及び水流出口４の部分以外を閉塞した円筒状でステンレス製の活水器本体２と、活水器本体２内に収納した内部を流通する水を活性化するセラミックボール群６と、水流入口３と活水器本体２との境界部及び水流出口４と活水器本体２との境界部に各々取り付けた円板状で多数の抜孔９を有するパンチング板７とを有している。
　前記水流入口３、水流出口４内のパンチング板７は比較的大きめの錆屑、ゴミ屑等の流入を阻止するものである。
【００１０】
　前記セラミックボール群６としては、マイナスイオンセラミックス、遠赤外線セラミックス、界面活性セラミックス、防錆セラミックスを各々粒状（ボール状）としたものの中から任意に選定される一種又は複数種の組み合わせから選定されるセラミックボール群を使用する。
【００１１】
　マイナスイオンセラミックスは、放射線であるα線、β線を微量に発生させて、電離作用（イオン化）を引き起すセラミックスである。このとき生じるマイナスイオンの作用により活性酸素を抑制し、体内細胞の活性を促進する。お風呂に入れておくだけで、ラジウム・ラドン温泉と同様の効果が得られる。
【００１２】
　遠赤外線セラミックスは、遠赤外線効果のある最高の素材をブレンドすることで、常温でも相当の遠赤外線を放射する。
　また、後述する界面活性セラミックスを組み合わせることにより、水の分子集合体を小さくし安定させる働きを高める効果が得られる。
【００１３】
　界面活性セラミックスは、０．０６ｍＡの微弱電流を作り出して、遠赤外線セラミックスボールから出る遠赤外線と合わせて水分子（クラスター）を小さくし、ｐＨを上げアルカリイオン水を生成する。
【００１４】
　前記防錆セラミックスは、シリカ、アルミナ、マグネシアを主成分とした多機能素材をブレンドしたセラミックスである。イオン交換性によりスケールの主成分であるカルシウムを除去する。これにより、配管内の酸化反応を起こりにくくし、錆の発生を抑制をする。
【００１５】
　この他、セラミックスボールとしては、塩素除去セラミックスボール、ｐＨ調整セラミックスボール、抗菌セラミックスボール等を使用することができる。
【００１６】
　また、セラミックスの一般的な特徴としては、
（１）電磁特性を持つ。
（２）耐摩擦性である。
（３）吸着性がない。
（４）高耐久性。
（５）天然石原料。
（６）高硬度。
　等を挙げることができる。
【００１７】
　図３は本実施例の活水器１の実際の使用時の配管図を示すものであり、例えば上水道の配管１０を、バルブ１１を経て水流入口３に接続し、水流出口４から水使用機器（例えばコーヒーサーバー等）１２に配管１０Ａを接続して、活水器１にて活性化した水を水使用機器１２に供給するものである。
【００１８】
　また、図８は活水器本体２の壁２３への取り付け状態を示すものであり、活水器本体２の水流入口３が挿通可能な孔２１を有するＬ形金具２０をネジ２２を用いて壁２３に取り付け、孔２１に水流入口３を挿通して活水器本体２を垂直に支持するものである。
【００１９】
　次に、本実施例の活水器１の作用について具体的に説明する。
　活水器本体２内に水（例えば水道水）を流すことにより、セラミックボール群６の個々のセラミックボールが活水器本体２内で流動運動を始める。この流動運動の過程でセラミックボールは互いにぶつかり合いながら電気的エネルギー（焦電エネルギー、圧電エネルギー、摩擦電気エネルギー）を発生する（流動電解方式）。
【００２０】
　ここで、焦電とは、セラミックの表面と水の温度差、セラミック内部とセラミック表面の温度差によって、電子がセラミックの外部に飛び出し、近くにある水等の液体に対して、なんらかの影響を与える作用をいう。
　また、圧電とは、セラミックの中を通過する水の圧力の変動、流動運動により電気を発生する作用をいう。
　更に、摩擦電気とは、セラミック同士の衝撃や摩擦、セラミックと水の摩擦により、発生する微量の電気をいう。
【００２１】
　上述したようなセラミックボール群６の流動により発生した３種の電気エネルギーは、僅か数秒間に帯電、放電を数万回行い、活水器本体２内を流通する水をその物性が変化した活性水へと変える。
【００２２】
　本実施例の活水器１は、水の水質（ミネラル、イオン）自体を改質せず、水本来の物性に変化を与える物質処理装置である。活水器１内で物質処理された水は活性化し、以下のような機能を発揮する水に変わる。
【００２３】
　本実施例の活水器１による物性変化の１つに水の表面張力の低下がある。表面張力の低下は、一方で、界面活性効果が上がることを意味する。界面活性効果が上がることで、高い浸透性や洗浄効果がもたらされる。
【００２４】
　図４、図５に示すように、通常の水道水（２０℃前後）の表面張力は、７２（ｄｙｎ／ｃｍ）程度であるが、本実施例の活水器１を通過した水は、５５〜６０（ｄｙｎ／ｃｍ）程度に表面張力が低下する。約９０℃のお湯と同程度の界面活性効果、つまり洗浄性を発揮することができる。
【００２５】
　また、図６、図７に示すように、活性化され、細分化された水は、界面活性力の向上により、スケール８の空洞や汚れの間に浸透し、更に膨張して行き、それらを剥離・除去していく効果がある。
【００２６】
　このようにして、スケール８の空洞や汚れの間に浸透した活性水の膨張により、スケール８、錆等の汚れは剥離し、配管内の水流によって徐々に排出され除去される。
【００２７】
　以下に本実施例の活水器１による水の活性化による界面活性効果、スケールの防止効果、除錆・防錆効果、脱臭効果、洗浄効果について説明する。
【００２８】
　界面活性効果；活水器１による得られる活性水は、表面張力が低下することにより界面活性力を増す。界面活性力は、洗剤の役割を持っていることが知られている。分子が小さくなった水は、山の水と同じ洗浄力を持っている。山の水は洗剤を使わなくても水そのものに洗浄力があるので、食器等の汚れを落す。このように、水そのものが少しでも界面活性力が増すことで、スケール等の汚れを落とす効果を発揮する。
【００２９】
　スケールの防止効果；スケールを除去するメカニズムと、防止するメカニズムとは別の働きである。水中のカルシウムイオンは別の物質との化学反応によって、スケール化する。そこでスケール化しない条件としては、カルシウムイオンをそのまま電気的に安定させることである。活水器１の中でセラミックボール群６が流動電解を起す。この流動電解処理をしている中で個々のセラミックボールは電気を帯びていくが、セラミックボールは電気を帯びるだけでなく、同時に電子の放電も行う。カルシウムイオンは、イオンのままでは不安定であるが、別の物質と化学反応を起こして安定しようとする。この化学反応により安定したものが、スケールとなる。
【００３０】
　活性水は、既述したように水の分子構造が小さくなると同時に、界面活性力も増加する。この分子構造が小さくなった水は、カルシウムイオンが他の物質と化学反応を起こさないように、カルシウムイオンの回りを水の分子で取り囲み、他の物質を寄せ付けないようにする。
【００３１】
　除錆・防錆効果；活水器の流動電解によって、水は酸化還元作用を起す。錆が除去されるのは、この酸化還元作用によって除錆をし、酸化鉄（赤錆）を鉄イオンと酸素とに還元する。この還元と同時に、活性水は酸化作用による酸化還元被膜（Ｆｅ３Ｏ４）を形成し、錆の進行を抑えていく。このように、除錆と酸化還元作用は同時に行われているので、水の中の赤錆は成長と破壊の繰り返しの状態にあるが、錆の成長スピードより酸化還元による防錆のスピードが早いために錆の発生を防ぐ。
【００３２】
　また、活水器１による流動電解によって酸化還元作用が起こることにより除錆を行うが、どこまでも錆を剥離していくわけでない。錆の剥離が終わった鉄の表面には、酸化被膜が形成されるので、その部分の錆の進行は止まる。つまり、錆によって錆びを止める防錆効果である。
【００３３】
　脱臭効果；臭いは、ガスとなり、気体となって初めて臭うことになる。一般的に私たちの生活の中で感じる臭いは、水道水のカルキ（残留塩素）の臭いか、トイレで感じるアンモニア等の臭いが殆どである。
【００３４】
　この活水器１により得られる活性水による脱臭力は、それらの臭いの原因となっている物質を気化しにくいように、細分化された水の分子が臭い成分を包み込み、反応しないように安定させことによる。水の環境は常に変化しており、なんらかの影響を受けて化学反応を起こし、いろいろな臭いを発生させるが、通常の水と比べても活性水のほうが臭い成分を安定し、長時間保持できる。
【００３５】
　洗浄効果；活水器１により得られる活性水は、既述したように水の界面活性力が増加している。簡単に言うと水に界面活性剤（洗剤）を少し投入したのと同じ状態となる。通常の汚れは物体にしっかりと密着しているのではなく、軽く付着している状態であるで、界面活性力のある活性水は汚れの間に浸透していき、比較的簡単に汚れを落とすことができる。
【００３６】
　以上説明した本実施例の活水器１によれば、水に対するイオンやミネラルなどの添加、除去といった作用は一切行わず、水本来の水質を損なうことなく表面張力等の特定の物性を変化させるという水の活性化を簡略な構成で的確に行うことができる。
【００３７】
　また、本実施例の活水器１は、
（１）エネルギーコストの低減。
（２）水系統機器の延命。メンテナンスの低減。
（３）無公害で環境にやさしい（薬剤は一切使用しない）。
（４）セラミックスの寿命が長い（１０年以上）。
（５）コンパクト設計が可能である。
　等の特徴を有する。
【００３８】
　本実施例の活水器１の具体的用途、効能としては、
（１）給排水管の錆除去と防止。
（２）温泉スケールの除去と防止（カルシウム、シリカ等のスケール除去と防止）。
（３）厨房床のヌメリ除去と防止。
（４）空調機（クーリングタワー）のスケール除去と防止及び薬品等の不使用促進。
（５）トイレの尿石除去と防止。脱臭効果（アンモニアガス臭、塩素臭）。
（６）生活用水の改善（台所、浴槽）。
（７）ボイラーのスケール除去と防止及び軟水器、清缶剤の不使用。
（８）産業機器等の冷却水の改善（冷却装置の冷却効果、洗浄機の延命効果）。
（９）プール用水の改善。
（１０）印刷用湿し水の改善。
（１１）農業用水の改善（植物の生育促進、池のアオコ対策）。
　等を挙げることができる。
【００３９】
　前記（８）の産業機器の具体例としては、電解整水器（電解槽へのスケール付着防止）、食器洗浄機（スケール付着防止及び、洗剤、リンス剤の軽減、機器の延命効果）、温蔵庫（スケール付着防止）、蒸し器（スケール付着防止及び食材の味の向上）、茹で麺器（スケール付着防止）、給茶機（タンク内のスケール付着防止及び、味の向上）、コーヒーマシン（ヒーターへのスケール付着防止及び、味の向上）等を挙げることができる。
【産業上の利用可能性】
【００４０】
　本考案の活水器は、上述したように産業用、家庭用を問わず水を使用する広範な機器、器具に適用可能である。
【図面の簡単な説明】
【００４１】
【図１】本考案の実施例の活水器の正面図である。
【図２】本実施例の活水器の部分断面図である。
【図３】本実施例の活水器の具体的使用状態の概略配管図である。
【図４】通常の水と活性水との表面張力の相違を示すグラフである。
【図５】通常の水と活性水と表面張力の相違を示す説明図である。
【図６】水道水から活性水への細分化を示す説明図である。
【図７】通常の水、活性水におけるスケールの剥離メカニズムの説明図である。
【図８】本実施例の活水器の壁への取り付け状態を示す斜視図である。
【符号の説明】
【００４２】
　　１　　活水器
　　２　　活水器本体
　　３　　水流入口
　　４　　水流出口
　　５　　ネジ部
　　７　　パンチング板
　　８　　スケール
　　９　　抜孔
　１０　　配管
　１０Ａ　配管
　１１　　バルブ
　１２　　水使用機器
　２０　　Ｌ形金具
　２１　　孔
　２２　　ネジ
　２３　　壁
【図１】
0003100422.tif 000003
【図２】
0003100422.tif 000004
【図３】
0003100422.tif 000005
【図４】
0003100422.tif 000006
【図５】
0003100422.tif 000007
【図６】
0003100422.tif 000008
【図７】
0003100422.tif 000009
【図８】
0003100422.tif 000010